(57)【要約】【課題】  使用者が演奏音、すなわち音声（歌手の歌）と伴奏音を選択的に再生することができるようにする。【解決手段】  本発明は、オーディオセクター内に伴奏音と演奏音とが同時に記録される部分Ａａと伴奏音のみが記録される部分Ａｂに区別され、これが区別できるコーディング情報を記録するように構成されるカラオケＣＤフォーマットと、これを利用して伴奏音と演奏音が同時に含まれたオーディオ信号と伴奏音のみが含まれたオーディオ信号を分離して、選択的に出力できるよう構成し、演奏音と伴奏音を含んだオーディオデータを選択的に再生してＣＤ音に準じるステレオ音を楽しむことができ、楽しく歌の練習ができてカラオケ気分を味わうことができる。【選択図】  図６
2009116363.tif 000002
【特許請求の範囲】
【請求項１】
デジタルデータを再生する装置であって、
前記デジタルデータはオーディオデータを含み、前記オーディオデータはデータユニットから成り、デジタルオーディオデータの前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
前記デジタルオーディオデータの各データユニットは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該装置は、
元のデータを復元するために、前記デジタルオーディオデータを復調する復調器と、
前記復調器により復調されたデジタルオーディオデータを受信し、前記第１タイプ及び前記第２タイプのデジタルオーディオデータの少なくとも一つを処理し、且つ、システムタイムクロックと、前記第１タイプ及び前記第２タイプのデジタルオーディオデータを記憶するメモリと、前記第１タイプ又は前記第２タイプのデジタルオーディオデータの出力タイミングを制御するために前記システムタイムクロックを受信するオーディオ出力部と、を含むデータ処理部と、
前記データ処理部に連結されており、且つ、前記第2情報に応じて前記第１タイプ又は前記第２タイプのデジタルオーディオデータを出力するよう、前記データ処理部を制御する制御部と、
を備えることを特徴とする装置。
【請求項２】
前記制御部は、前記第１タイプ及び前記第２タイプのデジタルオーディオデータの一つを指定する要求を受信し、
前記要求により指定された前記第１タイプ又は前記第２タイプのデジタルオーディオデータは、前記第２情報により識別されることを特徴とする、請求項１に記載の装置。
【請求項３】
前記データ処理部は、前記第２情報に基づき、前記第１タイプのデジタルオーディオデータに対応するデータユニットと、前記第２タイプのデジタルオーディオデータに対応するデータユニットと、を分離するデマルチプレックサを更に含むことを特徴とする、請求項１に記載の装置。
【請求項４】
前記デマルチプレックサは、前記復調器により復調された信号から時間情報を分離し、
前記時間情報は、前記システムタイムクロックのために使用されることを特徴とする、請求項３に記載の装置。
【請求項５】
前記制御部は、前記第１情報に基づき前記デジタルオーディオデータのコーディングモードを識別し、
前記コーディングモードはMPEGコーディングモードを示すためのものであり、
前記データ処理部は、圧縮されたオーディオデータを前記制御部の制御に基づきデコーディングするMPEGオーディオデコーダを更に含むことを特徴とする、請求項１に記載の装置。
【請求項６】
前記データ処理部に連結され、前記第１タイプ及び前記第２タイプのデジタルオーディオデータの少なくとも一つをアナログ信号に変換するD/A変換器を更に含むことを特徴とする、請求項１に記載の装置。
【請求項７】
前記データ処理部は、前記システムタイムクロックと前記デジタルオーディオデータ内の出力時間情報とを比較し、当該比較に基づいたタイミングで前記オーディオデータを出力することを特徴とする、請求項１に記載の装置。
【請求項８】
前記復調器は、ｎ＞ｍの場合、ｎビットデータをｍビットデータに変換することを特徴とする、請求項１に記載の装置。
【請求項９】
前記第１タイプ及び前記第２タイプのデジタルオーディオデータの少なくとも一つは演奏データを含み、
前記データ処理部は、前記演奏データを処理することを特徴とする、請求項１に記載の装置。
【請求項１０】
前記デジタルオーディオデータは光記録媒体から読み出され、
前記復調器は、前記光記録媒体に記録された前記デジタルオーディオデータを元のデータに復調することを特徴とする、請求項１に記載の装置。
【請求項１１】
デジタルデータを再生する方法であって、
前記デジタルデータはオーディオデータを含み、前記オーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各データユニットは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該方法は、
元の信号を復元するために、前記デジタルオーディオデータを復調する復調ステップと、
前記復調ステップにより復調された前記第１タイプ及び前記第２タイプのデジタルオーディオデータをメモリに記憶するステップと、
前記第２情報に基づき、前記第１タイプのデジタルオーディオデータに対応するデータユニットと、前記第２タイプのデジタルオーディオデータに対応するデータユニットと、を分離するステップと、
前記第１タイプ又は前記第２タイプのデジタルオーディオデータに対応するデータユニットの少なくとも一つを処理する処理ステップと、
システムタイムクロックに応じて前記第１タイプ又は前記第２タイプのデジタルオーディオデータの出力タイミングを制御し、且つ、前記第１タイプ又は前記第２タイプのデジタルオーディオデータを指定する要求に応じて前記第１タイプ又は前記第２タイプのデジタルオーディオデータを出力することを制御する制御ステップと、
を備え、
前記制御ステップでは、前記要求により指定された前記第１タイプ又は前記第２タイプのデジタルオーディオデータが、前記第２情報により識別されることを特徴とする方法。
【請求項１２】
前記制御ステップは、
前記システムタイムクロックと、前記第１タイプ又は前記第２タイプのデジタルオーディオデータの前記データユニットに含まれる出力時間情報と、を比較する比較ステップと、
当該比較に基づいたタイミングで、前記第１タイプ又は前記第２タイプのデジタルオーディオデータを出力するステップと、
を含むことを特徴とする、請求項１１に記載の方法。
【請求項１３】
参考時間情報及び前記出力時間情報を前記デジタルオーディオデータの前記データユニットより抽出するステップを更に含み、
前記参考時間情報は前記システムタイムクロックのために使用され、
前記比較ステップでは、前記システムタイムクロックと、当該抽出した出力時間情報と、を比較することを特徴とする、請求項１２に記載の方法。
【請求項１４】
前記第１情報に基づき、前記デジタルオーディオデータの前記コーディングモードを識別するステップを更に含むことを特徴とする、請求項１１に記載の方法。
【請求項１５】
前記第１情報はMPEGコーディングモードを示し、
前記処理ステップは、前記MPEGコーディングモードにより圧縮された前記第１タイプ又は前記第２タイプのデジタルオーディオデータをデコーディングするステップを含むことを特徴とする、請求項１４に記載の方法。
【請求項１６】
前記第１タイプ及び前記第２タイプのデジタルオーディオデータの少なくとも一つは演奏データを含み、
前記処理ステップは、前記演奏データを処理するステップを含むことを特徴とする、請求項１１に記載の方法。
【請求項１７】
前記復調ステップでは、ｎ＞ｍの場合、ｎビットデータをｍビットデータに変換することを特徴とする、請求項１１に記載の方法。
【請求項１８】
アナログオーディオ信号を出力するために、前記第１タイプ及び前記第２タイプのデジタルオーディオデータの少なくとも一つをアナログ信号に変換するステップを更に含むことを特徴とする、請求項１１に記載の方法。
【請求項１９】
前記デジタルオーディオデータは光記録媒体から読み出され、
復調ステップでは、前記光記録媒体に記録された前記デジタルオーディオデータを元のデータに復調することを特徴とする、請求項１１に記載の方法。
【請求項２０】
オーディオデータを含むデジタルデータを処理するための装置であって、
デジタルオーディオデータを受信する受信部を備え、
前記デジタルオーディオデータはデータユニットから成り、前記デジタルオーディオデータの前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各デジタルオーディオデータは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該装置は、
元のデータを復元するために、前記デジタルオーディオデータを復調する復調器と、
前記復調器により復調された前記第１タイプ及び前記第２タイプのデジタルオーディオデータを記憶するメモリと、
前記メモリに連結されており、前記メモリ内に記憶された前記第１タイプ及び前記第２タイプのデジタルオーディオデータの少なくとも一つを受信し、且つ、前記第１タイプ及び前記第２タイプのデジタルオーディオデータの少なくとも一つを処理するオーディオデータ処理回路と、
前記オーディオデータ処理回路に連結され、前記第2情報に応じて前記第１タイプ又は前記第２タイプのデジタルオーディオデータの出力を制御する制御部と、
を更に備え、
前記オーディオデータ処理回路は、前記第１タイプ又は前記第２タイプのデジタルオーディオデータの出力タイミングを制御するためにシステムタイムクロックを受信するオーディオ出力部を含む、
ことを特徴とする装置。
【請求項２１】
前記制御部は、前記第１タイプ及び前記第２タイプのデジタルオーディオデータの一つを指定する要求を受信し、
前記要求により指定された前記第１タイプ又は前記第２タイプのデジタルオーディオデータは、前記第２情報により識別されることを特徴とする、請求項２０に記載の装置。
【請求項２２】
前記オーディオデータ処理回路は、前記第２情報に基づき、前記第１タイプのデジタルオーディオデータに対応するデータユニットと、前記第２タイプのデジタルオーディオデータに対応するデータユニットと、を分離するデマルチプレックサを更に含むことを特徴とする、請求項２０に記載の装置。
【請求項２３】
前記デマルチプレックサは、前記復調器により復調された信号から参考時間情報を分離し、
前記参考時間情報は、前記システムタイムクロックのために使用され、
前記システムタイムクロックは、前記出力タイミングを同期化するために使用されることを特徴とする、請求項２２に記載の装置。
【請求項２４】
前記制御部は、前記デジタルオーディオデータのコーディングモードを識別し、
前記コーディングモードはMPEGコーディングモードを示すためのものであり、
前記オーディオデータ処理回路は、圧縮されたMPEGオーディオデータを前記制御部の制御に基づきデコーディングするMPEGオーディオデコーダを含むことを特徴とする、請求項２０に記載の装置。
【請求項２５】
前記オーディオデータ処理回路に連結され、前記第１タイプ及び前記第２タイプのデジタルオーディオデータの少なくとも一つをアナログ信号に変換するD/A変換器を更に含むことを特徴とする、請求項２０に記載の装置。
【請求項２６】
前記オーディオデータ処理回路は、前記システムタイムクロックと前記デジタルオーディオデータ内の出力時間情報とを比較し、当該比較に基づいたタイミングで前記オーディオデータを出力することを特徴とする、請求項２０に記載の装置。
【請求項２７】
前記復調器は、ｎ＞ｍの場合、ｎビットデータをｍビットデータに変換することを特徴とする、請求項２０に記載の装置。
【請求項２８】
前記第１タイプ及び前記第２タイプのデジタルオーディオデータの少なくとも一つは演奏データを含み、
前記オーディオデータ処理回路は、前記演奏データを処理することを特徴とする、請求項２０に記載の装置。
【請求項２９】
オーディオデータを含むデジタルデータを処理するための方法であって、
デジタルオーディオデータを受信する受信ステップを備え、
前記受信ステップにおいては、
前記デジタルオーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各タイプのデジタルオーディオデータは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該方法は、
元の信号を復元するために、前記デジタルオーディオデータを復調する復調ステップと、
前記復調ステップにて復調された前記第１タイプ及び前記第２タイプのデジタルオーディオデータを記憶するステップと、
前記第２情報に基づき識別される、前記第１タイプのデジタルオーディオデータに対応するデータユニット及び前記第２タイプのデジタルオーディオデータに対応するデータユニットの少なくとも一つを処理する処理ステップと、
システムタイムクロックに応じて前記第１タイプ又は前記第２タイプのデジタルオーディオデータの出力タイミングを制御するステップと、
を更に備えることを特徴とする方法。
【請求項３０】
前記第１タイプ及び前記第２タイプのデジタルオーディオデータの一つを指定する要求を受信する受信ステップと、
前記受信ステップにおいては、前記要求により指定された前記第１タイプ又は前記第２タイプのデジタルオーディオデータが、前記第２情報により識別され、
前記制御ステップでは、当該指定された前記第１タイプ又は前記第２タイプのデジタルオーディオデータの出力を制御することを特徴とする、請求項２９に記載の方法。
【請求項３１】
前記制御ステップは、
前記システムタイムクロックと、前記第１タイプ又は前記第２タイプのデジタルオーディオデータの前記データユニットに含まれる出力時間情報と、を比較する比較ステップと、
当該比較に基づいたタイミングで、前記第１タイプ又は前記第２タイプのデジタルオーディオデータを出力するステップと、
を含むことを特徴とする、請求項２９に記載の方法。
【請求項３２】
前記デジタルオーディオデータの前記データユニットより、前記システムタイムクロックのために使用される参考時間情報を抽出するステップを更に含むことを特徴とする、請求項３１に記載の方法。
【請求項３３】
前記制御ステップでは、前記第１情報に基づき前記前記第１タイプ又は前記第２タイプのデジタルオーディオデータのコーディングモードを識別し、
前記処理ステップは、MPEGコーディングモードにより圧縮された前記第１タイプ又は前記第２タイプのデジタルオーディオデータをデコーディングするステップを含むことを特徴とする、請求項２９に記載の方法。
【請求項３４】
前記第２情報に基づき、前記第１タイプのデジタルオーディオデータに対応するデータユニットと、前記第２タイプのデジタルオーディオデータに対応するデータユニットと、を分離する分離ステップを更に含み、
前記処理ステップでは、前記分離ステップで分離された前記第１タイプ及び前記第２タイプのデジタルオーディオデータの少なくとも一つを処理することを特徴とする、請求項２９に記載の方法。
【請求項３５】
前記第１タイプ及び前記第２タイプのデジタルオーディオデータの少なくとも一つは演奏データを含み、
前記処理ステップは、前記演奏データを処理するステップを含むことを特徴とする、請求項２９に記載の方法。
【請求項３６】
前記復調ステップでは、ｎ＞ｍの場合、ｎビットデータをｍビットデータに変換することを特徴とする、請求項２９に記載の方法。
【請求項３７】
アナログオーディオ信号を出力するために、前記第１タイプ及び前記第２タイプのデジタルオーディオデータの少なくとも一つをアナログ信号に変換するステップを更に含むことを特徴とする、請求項２９に記載の方法。
【請求項３８】
デジタルオーディオデータが記録されるコンピュータ可読記憶媒体であって、
前記デジタルオーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各データユニットは属性情報を含み、前記属性情報は、以下の（ａ）、（ｂ）及び（ｃ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
（ｃ）前記第１タイプ又は前記第２タイプのデジタルオーディオデータの出力タイミングを制御するための参考時間情報を含む時間情報、
前記第２情報は、前記メモリに記憶された前記第１タイプのデジタルオーディオデータに対応するデータユニットと前記第２タイプのデジタルオーディオデータに対応するデータユニットとを分離するために使用され、且つ、前記第１タイプ又は前記第２タイプのデジタルオーディオデータに対応するオーディオ信号を選択的に出力するために使用され、
前記参考時間情報は、システムタイムクロックを生成するために使用され、
前記システムタイムクロックは、前記出力タイミングを同期化するために使用され、
前記出力時間情報は、前記第１タイプ又は前記第２タイプのデジタルオーディオデータの出力タイミングを定義するために使用される、
ことを特徴とするコンピュータ可読記憶媒体。
【請求項３９】
前記データユニットは、マルチプレックスされるパック又はパケットに相当することを特徴とする、請求項３８に記載のコンピュータ可読記憶媒体。
【請求項４０】
前記属性情報は、前記パック又は前記パケットのヘッダに含まれることを特徴とする、請求項３９に記載のコンピュータ可読記憶媒体。
【請求項４１】
前記前記第１タイプ及び前記第２タイプのデジタルオーディオデータは、デジタルビデオデータとマルチプレックスされることを特徴とする、請求項３８に記載のコンピュータ可読記憶媒体。
【請求項４２】
前記参考時間情報は、SCR（System Clock Reference）に相当し、
前記出力時間情報は、PTS（Presentation Time Stamp）に相当することを特徴とする、請求項３８に記載のコンピュータ可読記憶媒体。
【請求項４３】
前記第１タイプ及び前記第２タイプのデジタルオーディオデータの少なくとも一つは演奏音を含むことを特徴とする、請求項３８に記載のコンピュータ可読記憶媒体。
【請求項４４】
前記第１情報は、前記第１タイプ及び前記第２タイプのデジタルオーディオデータを当該第１情報により識別されたコーディングモードに応じてデコーディングするために使用されることを特徴とする、請求項３８に記載のコンピュータ可読記憶媒体。
【請求項４５】
前記第１情報は、前記コーディングモードがMPEGフォーマットであることを示すことを特徴とする、請求項４４に記載のコンピュータ可読記憶媒体。
【発明の詳細な説明】
【技術分野】
【０００１】
本発明は、カラオケＣＤシステムに係り、特に使用者が演奏者の音声を選択的に再生することができるようにしたカラオケＣＤフォーマット、及びこれを利用した、デジタルデータを再生する装置および方法、オーディオデータを含むデジタルデータを処理するための装置および方法、デジタルオーディオデータが記録されるコンピュータ可読記憶媒体に関するものである。
【背景技術】
【０００２】
一般のカラオケＣＤのディスクデータレイアウト（ｄｉｓｃｄａｔａ ｌａｙｏｕｔ）は、図１に示すように、ＣＤの中心側と外側に形成され、モード２／フォーム２の空セクター（ＥＭＰＴＹＳｅｃｔｏｒ）を含むＣＤ−ＲＯＭＸＡデータがエンコーディングされたリードイン／リードアウト（Ｌｅａｄｉｎ／Ｌｅａｄ ｏｕｔ）領域１，６とプラグラム領域２，３，４，５に分けられる。
【０００３】
プログラム領域は、リードイン領域１のつぎに形成され、コンパクトディスクブリッジシステム技術（ＣｐｍｐａｃｔＤｉｓｃ ＢｒｉｄｇｅＳｙｓｔｅｍＤｅｓｃｒｉｐｔｉｏｎ）に描かれたものであり、ＣＤ−Ｉ応用プログラムのパス名（Ｐａｔｈｎａｍｅ）を含むボリュームディスクリプタ（Ｖｏｌｕｍｅ ｄｅｓｃｒｉｐｔｏｒ）領域２と、曲名、歌手名、作曲者、作詞者などのデータを記録したカラオケ基本データ領域３と、標準規格のディスクをＣＤ−Ｉ／ＦＭＶプレーヤーで再生する時にＣＤ−ＲＴＯＳ（ＲｅａｌＴｉｍｅＯｓ）で動作するようにするブリッジ化に必要な応用プログラム（ａｐｐｌｉｃａｔｉｏｎｐｒｏｇｒａｍ）を記録するＣＤ−Ｉ応用プログラム領域４と、及びＭＰＥＧ（Ｍｏｖｉｎｇｐｉｃｔｕｒｅ ＥｘｐｅｒｔｓＧｒｏｕｐ）ビデオ、オーディオデータを記録するＭＰＥＧデータ領域５とからなる。ここで、リード領域１には曲の数、各曲の時間と全体時間及び各曲の初部分とインデックス部分とが記録され、リードアウト領域６にはプログラムの終了が記録される。
【０００４】
従来のカラオケＣＤシステムは、図２に示すように、ＥＦＭ（Ｅｉｇｈｔｔｏ ＦｏｕｒｔｅｅｎＭｏｄｕｌａｔｉｏｎ）信号を復調する第１復調部１１と、第１復調部１１の信号を受けてＣＤ−ＲＯＭ用のセクターインターリーブ（ＳｅｃｔｏｒＩｎｔｅｒｌｅａｖｅ）を復調する第２復調部１２と、第２復調部１２の信号を受けてシステムの流れをデマルチプレックス（ｄｅｍｕｌｔｉｐｌｅｘ）するＣＰＵ１６と、ＣＰＵ１６から出力されるオーディオ及びビデオデータを記録する第１メモリ１７及び第２メモリ１８と、第１メモリ１７と第２メモリ１８に記憶されたオーディオ及びビデオデータを入力して各々ＭＰＥＧオーディオ及びＭＰＥＧビデオ信号をデコーディング（ｄｅｃｏｄｉｎｇ）するＭＰＥＧビデオコーダ１９及びＭＰＥＧオーディオデコーダ２０と、ＣＰＵ１６の制御によってシステムタイムをクラッキングするＳＴＣ（ＳｙｓｔｅｍＴｉｍｅＣｌｏｃｋ）部２３と、ＳＴＣ部２３のＳＴＣとＭＰＥＧビデオデコーダ１９から出力されるビットストリーム（ｂｉｔｓｔｒｅａｍ）内のＰＴＳ（Ｐｒｅｓｅｎｔａｔｉｏｎ Ｔｉｍｅ Ｓｔａｍｐｓ）を比較するビデオ出力部２１と、及びＳＴＣ部２３のＳＴＣとＭＰＥＧオーディオデコーダ１９から出力されるビットストリーム（ｂｉｔｓｔｒｅａｍ）内のＰＴＳ（ＰｒｅｓｅｎｔａｔｉｏｎＴｉｍｅ Ｓｔａｍｐｓ）を比較するオーディオ出力部２２とから構成されたビデオ及びオーディオ信号処理部１３と、入力されるキー信号に基づいて第１、第２復調部１１，１２とビデオ及びオーディオ信号処理部１３の全体をコントロールする制御部１０と、前記制御部１０の制御によってビデオ出力部２１から出力されるビデオ信号をＤ／Ａ変換してモニタに出力するＤ／Ａ変換器１４と、及び前記制御部１０の制御によってオーディオ出力部２２から出力されるオーディオ信号をＤ／Ａ変換してスピーカに出力するＤ／Ａ変換器１５とから構成される。
【０００５】
従来のＭＰＥＧビデオ及びＭＰＥＧオーディオセクターのインターリービング（Ｉｎｔｅｒｌｅａｖｉｎｇ）は、図３のようになされる。すなわち、ＭＰＥＧビデオデータの量がＭＰＥＧオーディオデータの量より極めて多いので、ＭＰＥＧビデオセクター（Ｖ）に周期的にＭＰＥＧオーディオセクター（Ａ）が位置し、例えば四つのＭＰＥＧビデオセクター（Ｖ）毎に一つのＭＰＥＧオーディオセクター（Ａ）を置いて構成することができる。
【０００６】
下記の表１はオーディオチャンネルエンコーディング（ＡｕｄｉｏＣｈａｎｎｅｌ Ｅｎｃｏｄｉｎｇ）を示すもので、詳細に説明すると以下の通りである。
【０００７】
【表１】
2009116363.tif 000003
【０００８】
カラオケＣＤフォーマット（ｆｏｒｍａｔ）は、ステレオミュージックプログラム（ＳｔｅｒｅｏＭｕｓｉｃ Ｐｒｏｇｒａｍ）において、レフトオーディオチャンネル（ＬｅｆｔＡｕｄｉｏ Ｃｈａｎｎｅｌ）がＭＰＥＧオーディオチャンネル０（Ｃｈａｎｎｅｌ０）として、ライトオーディオチャンネル（ＲｉｇｈｔＡｕｄｉｏ Ｃｈａｎｎｅｌ）がＭＰＥＧオーディオチャンネル１（Ｃｈａｎｎｅｌ１）としてエンコーディングされており、Ｓｐｅｃｉａｌｍｕｓｉｃ Ｐｒｏｇｒａｍに対して一つのチャンネル内に音声部分の無い音楽と、もう一つのチャンネル内に音声部分を含んだ音楽としてエンコーディングされる。
【０００９】
このように構成された従来のカラオケ−ＣＤシステムの動作は次の通りである。ピックアップ（Ｐｉｃｋ−ｕｐ）により読み出されたカラオケＣＤデータは、ＥＦＭ／ＣＩＲＣ（ＣｒｏｓｓＩｎｔｅｒｌｅａｖｅＲｅａｄ ＳｏｌｏｍｏｎＣｏｄｅ）デコーダである第１復調部１１によりＥＦＭ復調され、ＣＤエラーが訂正された後ＣＤ−ＲＯＭデコーダである第２復調部１２に送られてエンコーディング時にインターリーブされたデータらが復調され、ビデオ及びオーディオ信号処理部１３のＣＰＵ１６のデマルチプレックス動作によりオーディオデータとビデオデータに分けられて各々第１及び第２メモリ１７，１８を通じてＭＰＥＧビデオデコーダ１９及びＭＰＥＧオーディオデコーダ２０に送られる。
【００１０】
ＭＰＥＧビデオデコーダ１９とＭＰＥＧオーディオデコーダ２０は、圧縮されていたデータを復元してＳＴＣ部２３のＳＴＣとデータ内のＰＴＳと比較して出力データの出力（Ｐｒｅｓｅｎｔａｔｉｏｎ）時間を調節する。なお、ＭＰＥＧ符号化技術をカラオケ−ＣＤシステムに利用する技術については、例えば、下記非特許文献１に開示されている。
【非特許文献１】ＭＰＥＧ１符号化技術のＣＤ動画カラオケへの応用、菅原隆幸他、テレビジョン学会技術報告Ｖｏｌ．１７  Ｎｏ．２０、第１３〜１８頁（１９９３年３月１８日発表）
【発明の開示】
【発明が解決しようとする課題】
【００１１】
しかし、このような従来のカラオケ−ＣＤシステムにおいては、カラオケＣＤ規定によってＳｐｅｃｉａｌｍｕｓｉｃＰｒｏｇｒａｍを第１チャンネル（Ｌｅｆｔ）と第２チャンネル（Ｒｉｇｈｔ）に音声部分のない音楽と音声部分のある音楽をロードする場合、ステレオ音が得られないという短所がある。すなわち、二つのチャンネルに割り当てられた音を出力する場合には、ＣＨ０には演奏音（ｖｏｃａｌｓｏｕｎｄ）と伴奏音（ａｃｃｏｍｐａｎｉｍｅｎｔｓｏｕｎｄ（Ｌ））が、ＣＨ１には伴奏音（ａｃｃｏｍｐａｎｉｍｅｎｔ（Ｒ））が各々出力されるのでステレオ音を出力するが、使用者の選択によって演奏音を出力しない場合にはＣＨ１のみが出力されるので、モノ状態になり、ステレオ音が得られなくなるのである。
【００１２】
本発明は、使用者が第１のオーディオ信号（例えば音声などの演奏音と伴奏音）と第２のオーディオ信号（例えば伴奏音のみ）を選択的に再生し得るようにし、また、使用者がどちらのオーディオ信号を選択するとしても、ステレオ音が得られるように構成することを目的とする。
【課題を解決するための手段】
【００１３】
上記課題を解決するために、本発明の装置は、デジタルデータを再生する装置であって、前記デジタルデータはオーディオデータを含み、前記オーディオデータはデータユニットから成り、デジタルオーディオデータの前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
前記デジタルオーディオデータの各データユニットは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該装置は、元のデータを復元するために、前記デジタルオーディオデータを復調する復調器と、前記復調器により復調されたデジタルオーディオデータを受信し、前記第１タイプ及び前記第２タイプのデジタルオーディオデータの少なくとも一つを処理し、且つ、システムタイムクロックと、前記第１タイプ及び前記第２タイプのデジタルオーディオデータを記憶するメモリと、前記第１タイプ又は前記第２タイプのデジタルオーディオデータの出力タイミングを制御するために前記システムタイムクロックを受信するオーディオ出力部と、を含むデータ処理部と、前記データ処理部に連結されており、且つ、前記第2情報に応じて前記第１タイプ又は前記第２タイプのデジタルオーディオデータを出力するよう、前記データ処理部を制御する制御部と、を備えることを特徴とする。
【００１４】
また、本発明の装置においては、前記制御部は、前記第１タイプ及び前記第２タイプのデジタルオーディオデータの一つを指定する要求を受信し、前記要求により指定された前記第１タイプ又は前記第２タイプのデジタルオーディオデータは、前記第２情報により識別されても良い。
【００１５】
また、本発明の装置においては、前記データ処理部は、前記第２情報に基づき、前記第１タイプのデジタルオーディオデータに対応するデータユニットと、前記第２タイプのデジタルオーディオデータに対応するデータユニットと、を分離するデマルチプレックサを更に含んでも良い。
【００１６】
また、本発明の装置においては、前記デマルチプレックサは、前記復調器により復調された信号から時間情報を分離し、前記時間情報は、前記システムタイムクロックのために使用されても良い。
【００１７】
また、本発明の装置においては、前記制御部は、前記第１情報に基づき前記デジタルオーディオデータのコーディングモードを識別し、前記コーディングモードはMPEGコーディングモードを示すためのものであり、前記データ処理部は、圧縮されたオーディオデータを前記制御部の制御に基づきデコーディングするMPEGオーディオデコーダを更に含でも良い。
【００１８】
また、本発明の装置においては、前記データ処理部に連結され、前記第１タイプ及び前記第２タイプのデジタルオーディオデータの少なくとも一つをアナログ信号に変換するD/A変換器を更に含でも良い。
【００１９】
また、本発明の装置においては、前記データ処理部は、前記システムタイムクロックと前記デジタルオーディオデータ内の出力時間情報とを比較し、当該比較に基づいたタイミングで前記オーディオデータを出力しても良い。
【００２０】
また、本発明の装置においては、前記復調器は、ｎ＞ｍの場合、ｎビットデータをｍビットデータに変換しても良い。
【００２１】
また、本発明の装置においては、前記第１タイプ及び前記第２タイプのデジタルオーディオデータの少なくとも一つは演奏データを含み、前記データ処理部は、前記演奏データを処理しても良い。
【００２２】
また、本発明の装置においては、前記デジタルオーディオデータは光記録媒体から読み出され、前記復調器は、前記光記録媒体に記録された前記デジタルオーディオデータを元のデータに復調しても良い。
【００２３】
また、本発明の方法は、デジタルデータを再生する方法であって、前記デジタルデータはオーディオデータを含み、前記オーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各データユニットは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該方法は、元の信号を復元するために、前記デジタルオーディオデータを復調する復調ステップと、前記復調ステップにより復調された前記第１タイプ及び前記第２タイプのデジタルオーディオデータをメモリに記憶するステップと、前記第２情報に基づき、前記第１タイプのデジタルオーディオデータに対応するデータユニットと、前記第２タイプのデジタルオーディオデータに対応するデータユニットと、を分離するステップと、前記第１タイプ又は前記第２タイプのデジタルオーディオデータに対応するデータユニットの少なくとも一つを処理する処理ステップと、システムタイムクロックに応じて前記第１タイプ又は前記第２タイプのデジタルオーディオデータの出力タイミングを制御し、且つ、前記第１タイプ又は前記第２タイプのデジタルオーディオデータを指定する要求に応じて前記第１タイプ又は前記第２タイプのデジタルオーディオデータを出力することを制御する制御ステップと、を備え、前記制御ステップでは、前記要求により指定された前記第１タイプ又は前記第２タイプのデジタルオーディオデータが、前記第２情報により識別されることを特徴とする。
【００２４】
また、本発明の方法においては、前記制御ステップは、前記システムタイムクロックと、前記第１タイプ又は前記第２タイプのデジタルオーディオデータの前記データユニットに含まれる出力時間情報と、を比較する比較ステップと、当該比較に基づいたタイミングで、前記第１タイプ又は前記第２タイプのデジタルオーディオデータを出力するステップと、を含んでも良い。
【００２５】
また、本発明の方法においては、参考時間情報及び前記出力時間情報を前記デジタルオーディオデータの前記データユニットより抽出するステップを更に含み、前記参考時間情報は前記システムタイムクロックのために使用され、前記比較ステップでは、前記システムタイムクロックと、当該抽出した出力時間情報と、を比較しても良い。
【００２６】
また、本発明の方法においては、前記第１情報に基づき、前記デジタルオーディオデータの前記コーディングモードを識別するステップを更に含んでも良い。
【００２７】
また、本発明の方法においては、前記第１情報はMPEGコーディングモードを示し、前記処理ステップは、前記MPEGコーディングモードにより圧縮された前記第１タイプ又は前記第２タイプのデジタルオーディオデータをデコーディングするステップを含んでも良い。
【００２８】
また、本発明の方法においては、前記第１タイプ及び前記第２タイプのデジタルオーディオデータの少なくとも一つは演奏データを含み、前記処理ステップは、前記演奏データを処理するステップを含んでも良い。
【００２９】
また、本発明の方法においては、前記復調ステップでは、ｎ＞ｍの場合、ｎビットデータをｍビットデータに変換しても良い。
【００３０】
また、本発明の方法においては、アナログオーディオ信号を出力するために、前記第１タイプ及び前記第２タイプのデジタルオーディオデータの少なくとも一つをアナログ信号に変換するステップを更に含んでも良い。
【００３１】
また、本発明の方法においては、前記デジタルオーディオデータは光記録媒体から読み出され、復調ステップでは、前記光記録媒体に記録された前記デジタルオーディオデータを元のデータに復調しても良い。
【００３２】
また、本発明の装置は、オーディオデータを含むデジタルデータを処理するための装置であって、デジタルオーディオデータを受信する受信部を備え、前記デジタルオーディオデータはデータユニットから成り、前記デジタルオーディオデータの前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各デジタルオーディオデータは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該装置は、元のデータを復元するために、前記デジタルオーディオデータを復調する復調器と、前記復調器により復調された前記第１タイプ及び前記第２タイプのデジタルオーディオデータを記憶するメモリと、前記メモリに連結されており、前記メモリ内に記憶された前記第１タイプ及び前記第２タイプのデジタルオーディオデータの少なくとも一つを受信し、且つ、前記第１タイプ及び前記第２タイプのデジタルオーディオデータの少なくとも一つを処理するオーディオデータ処理回路と、前記オーディオデータ処理回路に連結され、前記第2情報に応じて前記第１タイプ又は前記第２タイプのデジタルオーディオデータの出力を制御する制御部と、を更に備え、前記オーディオデータ処理回路は、前記第１タイプ又は前記第２タイプのデジタルオーディオデータの出力タイミングを制御するためにシステムタイムクロックを受信するオーディオ出力部を含む、ことを特徴とする。
【００３３】
また、本発明の装置においては、前記制御部は、前記第１タイプ及び前記第２タイプのデジタルオーディオデータの一つを指定する要求を受信し、前記要求により指定された前記第１タイプ又は前記第２タイプのデジタルオーディオデータは、前記第２情報により識別されても良い。
【００３４】
また、本発明の装置においては、前記オーディオデータ処理回路は、前記第２情報に基づき、前記第１タイプのデジタルオーディオデータに対応するデータユニットと、前記第２タイプのデジタルオーディオデータに対応するデータユニットと、を分離するデマルチプレックサを更に含んでも良い。
【００３５】
また、本発明の装置においては、前記デマルチプレックサは、前記復調器により復調された信号から参考時間情報を分離し、前記参考時間情報は、前記システムタイムクロックのために使用され、前記システムタイムクロックは、前記出力タイミングを同期化するために使用されても良い。
【００３６】
また、本発明の装置においては、前記制御部は、前記デジタルオーディオデータのコーディングモードを識別し、前記コーディングモードはMPEGコーディングモードを示すためのものであり、前記オーディオデータ処理回路は、圧縮されたMPEGオーディオデータを前記制御部の制御に基づきデコーディングするMPEGオーディオデコーダを含んでも良い。
【００３７】
また、本発明の装置においては、前記オーディオデータ処理回路に連結され、前記第１タイプ及び前記第２タイプのデジタルオーディオデータの少なくとも一つをアナログ信号に変換するD/A変換器を更に含んでも良い。
【００３８】
また、本発明の装置においては、前記オーディオデータ処理回路は、前記システムタイムクロックと前記デジタルオーディオデータ内の出力時間情報とを比較し、当該比較に基づいたタイミングで前記オーディオデータを出力しても良い。
【００３９】
また、本発明の装置においては、前記復調器は、ｎ＞ｍの場合、ｎビットデータをｍビットデータに変換しても良い。
【００４０】
また、本発明の装置においては、前記第１タイプ及び前記第２タイプのデジタルオーディオデータの少なくとも一つは演奏データを含み、前記オーディオデータ処理回路は、前記演奏データを処理しても良い。
【００４１】
また、本発明の方法は、オーディオデータを含むデジタルデータを処理するための方法であって、デジタルオーディオデータを受信する受信ステップを備え、前記受信ステップにおいては、前記デジタルオーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各タイプのデジタルオーディオデータは属性情報を含み、前記属性情報は、以下の（ａ）及び（ｂ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
当該方法は、元の信号を復元するために、前記デジタルオーディオデータを復調する復調ステップと、前記復調ステップにて復調された前記第１タイプ及び前記第２タイプのデジタルオーディオデータを記憶するステップと、前記第２情報に基づき識別される、前記第１タイプのデジタルオーディオデータに対応するデータユニット及び前記第２タイプのデジタルオーディオデータに対応するデータユニットの少なくとも一つを処理する処理ステップと、システムタイムクロックに応じて前記第１タイプ又は前記第２タイプのデジタルオーディオデータの出力タイミングを制御するステップと、を更に備えることを特徴とする。
【００４２】
また、本発明の方法においては、前記第１タイプ及び前記第２タイプのデジタルオーディオデータの一つを指定する要求を受信する受信ステップと、前記受信ステップにおいては、前記要求により指定された前記第１タイプ又は前記第２タイプのデジタルオーディオデータが、前記第２情報により識別され、前記制御ステップでは、当該指定された前記第１タイプ又は前記第２タイプのデジタルオーディオデータの出力を制御しても良い。
【００４３】
また、本発明の方法においては、前記制御ステップは、前記システムタイムクロックと、前記第１タイプ又は前記第２タイプのデジタルオーディオデータの前記データユニットに含まれる出力時間情報と、を比較する比較ステップと、当該比較に基づいたタイミングで、前記第１タイプ又は前記第２タイプのデジタルオーディオデータを出力するステップと、を含んでも良い。
【００４４】
また、本発明の方法においては、前記デジタルオーディオデータの前記データユニットより、前記システムタイムクロックのために使用される参考時間情報を抽出するステップを更に含んでも良い。
【００４５】
また、本発明の方法においては、前記制御ステップでは、前記第１情報に基づき前記前記第１タイプ又は前記第２タイプのデジタルオーディオデータのコーディングモードを識別し、前記処理ステップは、MPEGコーディングモードにより圧縮された前記第１タイプ又は前記第２タイプのデジタルオーディオデータをデコーディングするステップを含んでも良い。
【００４６】
また、本発明の方法においては、前記第２情報に基づき、前記第１タイプのデジタルオーディオデータに対応するデータユニットと、前記第２タイプのデジタルオーディオデータに対応するデータユニットと、を分離する分離ステップを更に含み、前記処理ステップでは、前記分離ステップで分離された前記第１タイプ及び前記第２タイプのデジタルオーディオデータの少なくとも一つを処理しても良い。
【００４７】
また、本発明の方法においては、前記第１タイプ及び前記第２タイプのデジタルオーディオデータの少なくとも一つは演奏データを含み、前記処理ステップは、前記演奏データを処理するステップを含んでも良い。
【００４８】
また、本発明の方法においては、前記復調ステップでは、ｎ＞ｍの場合、ｎビットデータをｍビットデータに変換しても良い。
【００４９】
また、本発明の方法においては、アナログオーディオ信号を出力するために、前記第１タイプ及び前記第２タイプのデジタルオーディオデータの少なくとも一つをアナログ信号に変換するステップを更に含んでも良い。
【００５０】
また、本発明のコンピュータ可読記憶媒体は、デジタルオーディオデータが記録されるコンピュータ可読記憶媒体であって、前記デジタルオーディオデータはデータユニットから成り、前記データユニットは少なくとも以下の（１）及び（２）の何れかと対応しており、
（１）第1タイプのデジタルオーディオデータ、
（２）前記第１タイプのデジタルオーディオデータとは異なる内容を少なくとも一つ含む第２タイプのデジタルオーディオデータ、
各データユニットは属性情報を含み、前記属性情報は、以下の（ａ）、（ｂ）及び（ｃ）を含み、
（ａ）前記デジタルオーディオデータのコーディングモードを示すための第１情報、
（ｂ）前記データユニットが前記第１タイプのデジタルオーディオデータであるか、又は前記第２タイプのデジタルオーディオデータであるかを識別するための、前記第１情報とは異なる第2情報、
（ｃ）前記第１タイプ又は前記第２タイプのデジタルオーディオデータの出力タイミングを制御するための参考時間情報を含む時間情報、
前記第２情報は、前記メモリに記憶された前記第１タイプのデジタルオーディオデータに対応するデータユニットと前記第２タイプのデジタルオーディオデータに対応するデータユニットとを分離するために使用され、且つ、前記第１タイプ又は前記第２タイプのデジタルオーディオデータに対応するオーディオ信号を選択的に出力するために使用され、前記参考時間情報は、システムタイムクロックを生成するために使用され、前記システムタイムクロックは、前記出力タイミングを同期化するために使用され、前記出力時間情報は、前記第１タイプ又は前記第２タイプのデジタルオーディオデータの出力タイミングを定義するために使用される、ことを特徴とする。
【００５１】
また、本発明のコンピュータ可読記憶媒体においては、前記データユニットは、マルチプレックスされるパック又はパケットに相当しても良い。
【００５２】
また、本発明のコンピュータ可読記憶媒体においては、前記属性情報は、前記パック又は前記パケットのヘッダに含まれても良い。
【００５３】
また、本発明のコンピュータ可読記憶媒体においては、前記前記第１タイプ及び前記第２タイプのデジタルオーディオデータは、デジタルビデオデータとマルチプレックスされても良い。
【００５４】
また、本発明のコンピュータ可読記憶媒体においては、前記参考時間情報は、SCR（System Clock Reference）に相当し、前記出力時間情報は、PTS（Presentation Time Stamp）に相当しても良い。
【００５５】
また、本発明のコンピュータ可読記憶媒体においては、前記第１タイプ及び前記第２タイプのデジタルオーディオデータの少なくとも一つは演奏音を含んでも良い。
【００５６】
また、本発明のコンピュータ可読記憶媒体においては、前記第１情報は、前記第１タイプ及び前記第２タイプのデジタルオーディオデータを当該第１情報により識別されたコーディングモードに応じてデコーディングするために使用されても良い。
【００５７】
また、本発明のコンピュータ可読記憶媒体においては、前記第１情報は、前記コーディングモードがMPEGフォーマットであることを示しても良い。
【発明の効果】
【００５８】
本発明は、カラオケＣＤシステムなどにおいて、第１のオーディオ信号（例えば音声などの演奏音と伴奏音）と第２のオーディオ信号（例えば伴奏音のみ）とを選択して再生することができるので、ＣＤ音に準じるステレオ音を楽しむことができ、楽しく歌の練習ができてカラオケ気分を満喫し得るという効果がある。
【図面の簡単な説明】
【００５９】
【図１】カラオケＣＤデータのレイアウトである。
【図２】従来のカラオケＣＤシステムの構成図である。
【図３】従来のＭＰＥＧオーディオ／ビデオセクターインターリービングの構成図である。
【図４】本発明によるサブヘッダー（Ｓｕｂｈｅａｄｅｒ）の構造図である。
【図５】本発明によるＭＰＥＧオーディオ／ビデオセクターインターリービングの構成図である。
【図６】本発明によるカラオケＣＤオーディオ信号制御装置の構成図である。
【図７】本発明によりカラオケＣＤオーディオ信号制御装置の動作のフローチャートである。
【図８】本発明によるＭＰＥＧオーディオフォーマット図である。
【発明を実施するための最良の形態】
【００６０】
本発明によるサブヘッダー（Ｓｕｂ−ｈｅａｄｅｒ）の構造は図４のようになされるが、オーディオパケット（Ｐａｃｋｅｔ）内のサブヘッダー情報から演奏者の音声、すなわち演奏音と伴奏音を含んだオーディオデータＡａと伴奏音のみを含んだオーディオデータＡｂを区分するため、コーディング情報（ＣｏｄｉｎｇＩｎｆｏｒｍａｔｉｏｎ）に区分値を入力してエンコーディングする。
【００６１】
ここで、コーディング情報とは、データのエンコーディング時に区分信号として各セクターのサブヘッダー内に含ませるが、ＭＰＥＧビデオの場合は０ＦＨと、ＭＰＥＧオーディオの場合には７ＦＨと規定されている。ここに新しいコーディング情報を追加（例３Ｆ）して、演奏音と伴奏音のあるオーディオデータセクターＡａと伴奏音のみのあるオーディオデータセクターＡｂとの区分信号として利用する。
【００６２】
ＭＰＥＧビデオ及びＭＰＥＧオーディオセクターインターリービングは、図５に示すようである。すなわち、ビデオデータとオーディオデータセクターのインターリービングは、通常４〜５個のビデオセクターＶに一つのオーディオセクターＡを含むが、エンコーディング時に音声を含んだセクターを追加し、入力された選択信号によってデコーディングされたデータを区分して出力する（Ａａ，Ａｂ）。ここで、新しく追加されたオーディオセクター（Ａａ，Ａｂ）によるバッファサイズ（ｂｕｆｆｅｒｓｉｚｅ）の増加は、映像データに比べて微少であるため無視しても構わない。
【００６３】
即ち、本発明によるカラオケＣＤフォーマットは、ビデオセクターとオーディオセクターに分けられるＣＤフォーマットにおいて、オーディオセクター内に伴奏音と演奏音が同時に記録される部分Ａａと、伴奏音のみ記録される部分Ａｂとに区別され、これが区別できるコーディング情報を記録するようになされる。
【００６４】
このようにオーディオデータをインターリービングした状態の本発明によるカラオケＣＤオーディオ信号制御装置は、図６に示すように、制御部３０と、復調部４０と、オーディオ信号処理部７０と、スイッチ５０と、及びＤ／Ａ変換部６０とから構成される。
【００６５】
制御部３０は、外部からキーマトリックス８０を通じて入力される信号に基づいてシステム全体を制御する。
【００６６】
復調部４０は、伴奏音と演奏音が同時に記録される部分Ａａと、伴奏音のみが記録された部分Ａｂが区別できるように構成されたＣＤフォーマットから制御部３０の制御によってＥＦＭ（ＥｉｇｈｔｔｏＦｏｕｒｔｅｅｎ Ｍｏｄｕｌａｔｉｏｎ）復調する第１復調器４１と、制御部３０の制御によって第１復調器４１から出力される信号よりＣＤ−ＲＯＭ用のセクターインターリーブを復調してオーディオ信号処理部７０に出力する第２復調器４２とから構成され、制御部３０の制御によって伴奏音と演奏音が同時に記録される部分Ａａと、伴奏音のみ記録された部分Ａｂを区別し得るように構成されたＣＤフォーマットから読み出された信号を復調する。
【００６７】
オーディオ信号処理部７０は、制御部３０の制御によって第２復調器４２から出力される信号よりオーディオデータと時間データを分離するＣＰＵ７１と、ＣＰＵ７１から出力される時間情報を利用して同期信号を出力するＳＴＣ（ＳｙｓｔｅｍＴｉｍｅＣｌｏｃｋ）部７７と、ＣＰＵ７１から出力されるオーディオデータを記憶するメモリ７２と、メモリ７２に記憶されたＭＰＥＧオーディオデータをデコーディングするＭＰＥＧオーディオデコーダ７３と、ＣＰＵ７１の制御によってＭＰＥＧオーディオデコーダ７３から出力されるデータを伴奏音と演奏音に該当するデータと伴奏音に該当するデータとに分離して出力するデマルチプレックサ７４と、デマルチプレックサ７４から出力される伴奏音に該当するデータ内のＰＴＳ（ＰｒｅｓｅｎｔａｔｉｏｎＴｉｍｅＳｔａｍｐ）をＳＴＣ部７７から出力される信号と比較して、出力データの出力時間を調節する第１オーディオ出力部７５と、及びデマルチプレックサ７４から出力される伴奏音と演奏音に該当するデータ内のＰＴＳ（ＰｒｅｓｅｎｔａｔｉｏｎＴｉｍｅＳｔａｍｐ）をＳＴＣ部７７から出力される信号と比較して、出力データの出力時間を調節する第２オーディオ出力部７６とから構成され、復調部４０から出力される信号を利用してオーディオ信号を処理し、伴奏音と演奏音、及び伴奏音に該当するデータを分離して出力する。
【００６８】
スイッチ５０は、制御部３０の制御によってオーディオ信号処理部７０の第１及び第２オーディオ出力部７５，７６から出力される伴奏音と演奏音、及び伴奏音に該当するデータのうち一つを選択して出力する。
【００６９】
Ｄ／Ａ変換器６０は、制御部３０の制御によってスイッチ５０から出力されるデータをＤ／Ａ変換器してスピーカに出力する。
【００７０】
ビデオ信号を処理するための構成及び過程は、従来のカラオケＣＤシステムと同様である。このように構成された本発明によるカラオケＣＤオーディオ信号制御装置の動作を説明すると次のようである。コーディング情報に区分値を入力してエンコーディングしたカラオケ−ＣＤデータはＥＦＭ／ＣＩＲＣ（ＣｒｏｓｓＩｎｔｅｒｌｅａｖｅＲｅａｄＳｏｌｏｍｏｎ Ｃｏｄｅ）デコーダである第１復調部４１によってＥＦＭ復調されて、ＣＤのエラーが訂正された後、ＣＤ−ＲＯＭデコーダである第２復調部４２へ送られ、エンコーディング時にインターリーブ（ｉｎｔｅｒｌｅａｖｅ）されたデータらが復調され、ＣＰＵ７１ではオーディオとビデオデータ、及び時間データに分離される。この時、オーディオデータのうちコーディング情報を読み出して出たオーディオデマルチプレックシング信号は、デマルチプレックサ７４の動作のためにデマルチプレックサ７４に出力する。
【００７１】
ＣＰＵ７１でデマルチプレッシングされたデータのうちＭＰＥＧオーディオデータは、メモリ７２に一時記憶されかけてＭＰＥＧオーディオデコーダ７３により圧縮復元され出力される。ＭＰＥＧオーディオデコーダ７３から出力される復元されたオーディオデータは、ＣＰＵ７１の制御によりデマルチプレックサ７４を通過して伴奏音のみがエンコーディングされたオーディオデータと、及び伴奏音と演奏音のみがロードされたオーディオデータとに分けられ、第１オーディオ出力部７５と第２オーディオ出力部７６に各々出力される。
【００７２】
すなわち、ＣＰＵ７１から出力されるオーディオデマルチプレッシング信号は、入力されたオーディオ信号のうち伴奏音のみがロードされたオーディオデータＡｂの場合、第１オーディオ出力部７５でＰＴＳとの比較により出力時間が調節され出力されるようにし、音声すなわち演奏音と伴奏音を含んだオーディオデータＡａの場合、第２オーディオ出力部７６でＰＴＳとの比較により出力時間が調節され出力されるようにする。第１及び第２オーディオ出力部７５，７６から出力されるオーディオデータは制御部３０の制御によるスイッチ５０のスイッチング動作によりＤ／Ａ変換器６０に出力されてＤ／Ａ変換された後スピーカに出力される。この時、スイッチ５０は、キーマトリックス８０を通じて入力されたキー信号に基づいて動作する制御部３０の制御によって動作する。
【００７３】
このように動作するカラオケＣＤオーディオシステムの動作を図７を参照して説明すると、次の通りである。まず、サブヘッダーとパケットヘッダーを読み出し１００、デマルチプレッシングしてオーディオデマルチプレッシング信号とＭＰＥＧオーディオ信号に分離する１０１。分離されたＭＰＥＧオーディオ信号は、デコーディング処理した後、オーディオデマルチプレッシング信号を利用して伴奏音のみが含まれたオーディオ信号と演奏音と伴奏音のみが含まれたオーディオ信号に分離し１０２、各パケットのＰＴＳを読み出して同期化させたのち出力する１０３。
【００７４】
ＭＰＥＧオーディオフォーマット構成は、図８のようになされ、セクター毎のサブヘッダーからコーディング情報を抽出して、分離されたＭＰＥＧオーディオ信号（Ａａ，Ａｂ）とオーディオデマルチプレッシング信号を発生し、パケットヘッダーを読み出してＳＴＣを比較することにより出力データの出力時間を調節する。
【符号の説明】
【００７５】
１０，３０…制御部、１１，４１…第１復調部、１２，４２…第２復調部、１３…ビデオ及びオーディオ信号処理部、１４，１５，６０…Ｄ／Ａ変換部、１６，７１…ＣＰＵ、１７，１８，７２…メモリ、１９…ＭＰＥＧビデオデコーダ、２０，７３…ＭＰＥＧオーディオデコーダ、２１…ビデオ出力部、２２，７５，７６…オーディオ出力部、４０…復調部、５０…スイッチ、７０…オーディオ信号処理部、７４…デマルチプレックサ、８０…キーマトリックス。
【図１】
2009116363.tif 000004
【図２】
2009116363.tif 000005
【図３】
2009116363.tif 000006
【図４】
2009116363.tif 000007
【図５】
2009116363.tif 000008
【図６】
2009116363.tif 000009
【図７】
2009116363.tif 000010
【図８】
2009116363.tif 000011